(57)【特許請求の範囲】
【請求項１】
一方の器具に設置された取付部と、他方の器具に設置され当該取付部を着脱可能に取付ける本体部とを備える器具取付装置であって、
前記本体部は、
一側側面部が開口する中空部に形成され且つ当該中空部内の厚み方向へ突出するピンが固定状態に設けられたケーシング部と、
前記ケーシング部の前記中空部内に配置され、当該中空部内への挿入及び抜去方向への移動が可能なラッチ部と、
前記ラッチ部内に配置され、当該ラッチ部内への挿入方向及び抜去方向への移動に応じて、当該挿入方向に対して直交する方向に移動して前記ピンの係止又は係止解除が可能なピン係止部と、
当該ピン係止部による前記ピンの係止又は係止解除に応じて、前記取付部を着脱可能に取付ける係合部とを有しており、
前記器具取付装置の各部は、金属製であり、
前記ラッチ部には、
前記ピン係止部を挿入方向と直交する方向の中央位置へ付勢する係止部付勢手段が設けられており、当該ピン係止部が前記係止部付勢手段の付勢力により挿入方向と直交する方向へ移動することで前記ケーシング部に固定された前記ピンの係止又は係止解除を行うことを特徴とする器具取付装置。
【請求項２】
前記ピン係止部は、前記ピンが通過するハート型の通路を有し、
前記通路は
前記ラッチ部の前記ケーシング部内への１回目の前記挿入方向への動作により、前記ピンを進入させる進入通路部と、進入した前記ピンを係止して前記ピンの移動を規制する止め通路部と、前記ラッチ部の前記ケーシング部内への２回目の前記挿入方向への動作により、前記ピンを後退させる戻り通路部とを有していること、
を特徴とする請求項１に記載の器具取付装置。
【請求項３】
前記係合部は、
前記取付部に設けられた掛け部を着脱可能に掛け受ける掛け受け部を有しており、
前記１回目の前記挿入方向への動作により、前記ピンが前記止め通路部へ進入し、当該止め通路内で係止されると、前記取付部の前記掛け部は前記係合部の前記掛け受け部に係合され、
前記２回目の前記挿入方向への動作により、前記ピンが前記戻り通路部へ進入して係止解除されると、前記取付部の前記掛け部は前記係合部の前記掛け受け部から掛け外れること、
を特徴とする請求項２に記載の器具取付装置。
【請求項４】
前記ケーシング部には、
前記ラッチ部を前記ケーシング部の前記開口する一側側面部から前方へ延出する位置へ付勢するラッチ部付勢手段が設けられていることを特徴とする請求項１に記載の器具取付装置。
【請求項５】
前記ピン係止部の前記止め通路には、
前記ピンを係合可能な係合手段が設けられていることを特徴とする請求項２に記載の器具取付装置。
【発明の詳細な説明】
【技術分野】
【０００１】
本発明は、器具取付装置に関する。
【背景技術】
【０００２】
従来から、一方の器具を他方の器具へ取付け及び取外しが可能な器具取付装置が実用に供されている。特に、取付作業が面倒な照明本体と照明カバー（照明傘を含む）とを、容易に取付け及び取外せるワンタッチ式の照明器具取付装置が知られている。
【０００３】
こうした照明器具取付装置としては、例えばケーシング部内に、当該ケーシング部内へ押圧動作により挿入可能な操作部と、当該操作部の挿入に伴って旋回する旋回部材と、当該旋回部材の旋回によりケーシング部内に収納されてロック解除され、押圧動作が解除されるとケーシング部から突出してロックさせるストッパー部材とが収納された構成が知られている（例えば特許文献１参照）。この照明器具取付装置により、照明本体と照明カバーとをワンタッチで取付け及び取外しを行うことができる。
【先行技術文献】
【特許文献】
【０００４】
【特許文献１】特開２０００−４８６２２号公報
【発明の概要】
【発明が解決しようとする課題】
【０００５】
しかし、上記した照明器具取付装置は、以下のような課題点がある。
近年、照明本体と照明カバーとを取付ける取付箇所は、スペース制限が厳しくなっていることから、照明器具取付装置の小型化が求められている。しかし、上記の構成の器具取付装置は、ケーシング部内に旋回部材が収納される構成である。したがって、ケーシング部は旋回部材の旋回や移動を許容するだけの十分な大きさが必要であり、小型化することが難しいという課題があった。
【０００６】
また、上記構成の照明器具取付装置を含め、一般的に実用に供されている照明器具取付装置の各部材は、生産性の良さなどの点から樹脂製のものが多く使用されている。照明本体は発熱源であるため、照明本体の近傍位置に配置されている照明器具取付装置の各部材には、高い温度が長時間当てられることになる。すると、金属に比して耐熱性が低い樹脂製の各部材に経年劣化や腐食が生じる虞があるという課題があった。
【０００７】
更に、照明本体は総じて重量があり例えば４ｋｇ以上の重量を有するものも存在している。樹脂製の部材は、耐荷重性が金属に比して低いため、例えば重量のある照明器具には使用できない場合がある。仮に耐荷重性を満たす照明器具に使用したとしても、上記したように器具取付装置に経年劣化や腐食などが生じると、耐荷重性が低下してしまうという課題がある。
【０００８】
上記に挙げた装置の小型化、及び耐熱性と耐荷重性の確保という課題は、照明器具取付装置に限らず、他の器具同士を取付ける際に使用する器具取付装置においても同様である。
【０００９】
本発明の一つの実施形態の目的は、上記課題点を鑑みてなされたものであり、装置全体の大きさを小型化でき、且つ耐熱性と耐荷重性を確保可能な器具取付装置を提供することにある。
【課題を解決するための手段】
【００１０】
上記の課題は、
一方の器具に設置された取付部と、他方の器具に設置され当該取付部を着脱可能に取付ける本体部とを備える器具取付装置であって、
前記本体部は、
一側側面部が開口する中空部に形成され且つ当該中空部内の厚み方向へ突出するピンが固定状態に設けられたケーシング部と、
前記ケーシング部の前記中空部内に配置され、当該中空部内への挿入及び抜去方向への移動が可能なラッチ部と、
前記ラッチ部内に配置され、当該ラッチ部内への挿入方向及び抜去方向への移動に応じて、当該挿入方向に対して直交する方向に移動して前記ピンの係止又は係止解除が可能なピン係止部と、
当該ピン係止部による前記ピンの係止又は係止解除に応じて、前記取付部を着脱可能に取付ける係合部とを有しており、
前記器具取付装置の各部は、金属製であり、
前記ラッチ部には、
前記ピン係止部を挿入方向と直交する方向の中央位置へ付勢する係止部付勢手段が設けられており、当該ピン係止部が前記係止部付勢手段の付勢力により挿入方向と直交する方向へ移動することで前記ケーシング部に固定された前記ピンの係止又は係止解除を行うことを特徴とする器具取付装置により解決できる。
【発明の効果】
【００１１】
本発明によれば、装置全体の大きさを小型化でき、且つ耐熱性と耐荷重性を確保可能な器具取付装置を提供できる。
【図面の簡単な説明】
【００１２】
【図１】本発明の実施形態に係る器具取付装置を照明器具に適用した使用状態の一例を示す全体斜視図である。
【図２】本発明の実施形態に係る器具取付装置の全体斜視図である。
【図３】本発明の実施形態に係る器具取付装置の分解斜視図である。
【図４】本発明の実施形態に係る器具取付装置を構成するラッチ部を示す斜視図である。
【図５】本発明の実施形態に係る器具取付装置を構成するピン係止部を示す平面図である。
【図６】（Ａ）〜（Ｄ）は、本発明の実施形態に係る器具取付装置の動作を説明するための図であり、ラッチ収納部を透過させた状態を示す図である。
【図７】（Ａ）〜（Ｃ）は、本発明の実施形態に係る器具取付装置を構成する係合部と取付部の動作を説明する側断面図である。
【発明を実施するための形態】
【００１３】
次に、本発明に係る器具取付装置の実施形態を説明する。各図面中、同一又は相当する部分には同一の符号を付しており、その重複説明は適宜簡略化ないし省略する。図面は、部材もしくは部品間の相対比を示すことを目的としない。したがって、具体的な寸法は、以下の限定的でない実施形態に照らし、当業者により決定することができる。
【００１４】
以下、本発明に係る器具取付装置は、照明本体と照明カバーとを取付ける際に使用される照明器具取付装置を一例に取り説明する。しかし、この限りではなく、照明以外の器具においても、同様の構成で実施できる。
【００１５】
図１は、本実施形態に係る器具取付装置１を照明器具に適用した使用状態の一例を示す斜視図である。図１は説明の関係上、照明カバーＣの一部を切り欠いた斜視図を示した。
【００１６】
器具取付装置１の基本構成は、一方の器具に設置される取付部２と、他方の器具に設置され当該取付部２を着脱可能に取付ける本体部３とを備えている。図示例では、照明本体Ｓの左右（矢印Ｖ１側と矢印Ｖ２側）の側壁に設けられた各段部Ｓ１に、取付部２がネジ止め又はスポット溶接などにより設置されている。またボックス形状の照明カバーＣは、その内面であって矢印Ｖ１側と矢印Ｖ２側に位置する各内壁部Ｃ１に、本体部３がネジ止め又はスポット溶接などにより設置されている。当然ながら本体部３は、前記した取付部２を取付可能な配置位置で設置されている。因みに、照明カバーＣは、通例使用される留め金具などにより天井などの壁面に取付固定されている。
【００１７】
したがって、照明本体Ｓを照明カバーＣへ取付ける際には、作業者が照明本体Ｓに設置された取付部２を、照明カバーＣに設置された本体部３の開口部内へ矢印Ｙ１−Ｙ２方向へ押圧（挿入）すると、本体部３内で取付部２が係合されて両者を取付け固定できる。取外すには、作業者が照明本体Ｓを上方へ押上げて、取付部２を本体部３内へ更に押圧（挿入）すると、本体部３内で取付部２を掛け外れさせることができ、取付部２が矢印Ｙ２−Ｙ１方向へ降下して両者の係合を解除できる。
【００１８】
以下、本実施形態の器具取付装置１の各構成を詳細に説明すると共に、上記した係合動作及び係合解除動作について詳しく説明する。因みに図示例では、照明カバーＣに器具取付装置１の本体部３が設置され、照明本体Ｓに取付部２が設置された状態を示したが、この限りではなく照明本体Ｓに器具取付装置１の本体部３を設置し、照明カバーＣに取付部２を設置して実施することもできる。
【００１９】
＜取付部＞
次に、図２、図３に基づいて取付部２について説明する。図２は、本発明の実施形態に係る器具取付装置１の全体斜視図である。図３は、本発明の実施形態に係る器具取付装置１の分解斜視図である。
【００２０】
取付部２は、図１に説明したように、照明本体Ｓなどのように取外しを必要とする器具に取付けられる部材である。取付部２は、金属製であり照明本体Ｓとボルト接合するためのボルト孔を有するプレート２１と、器具取付装置１の本体部３内へ挿入されて着脱可能に係合されるアーム部２２とを有している。アーム部２２の先端箇所には、Ｖ字形状に湾曲して、後述する係合部８と掛け合わせが可能な掛け部２２ａが形成されている。この形状は、勿論図示例の形状の限りではなく、後述する係合部との関係により適宜変更される。
【００２１】
＜本体部＞
次に、図２、図３に基づいて本体部３について説明する。
本体部３は、ケーシング部４、ピン５、ラッチ部６、ピン係止部７、及び係合部８を有している。これらの各部材は金属製とされている。
【００２２】
（ケーシング部）
ケーシング部４は、具体的には、ラッチ部６を収納するラッチ収納部４１と、ラッチ収納部４１の開口面を塞ぐ蓋部４３とを有しており、両者を連結することで一側側面部（矢印Ｙ１側）が開口する中空部が形成される構成である。ラッチ収納部４１は、矩形状のボックスであり、断面形状がラッチ部６を収納可能なハット型（溝型）とされている。即ち、長手方向（矢印Ｙ１−Ｙ２方向）に延在する両側壁４１ｂと、当該両側壁４１ｂの端部から水平方向（矢印Ｘ１―Ｘ２方向）に延びるフランジ部４１ｃとによりハット型形状を形成している。したがって、ラッチ収納部４１は矢印Ｚ１側（下面に相当）が開口面となる。前記したフランジ部４１ｃには上側と下側（Ｙ１側、Ｙ２側）に位置するボルト孔４２ａと、中央部に位置する貫通孔４２ｂが設けられている。
【００２３】
ラッチ収納部４１は、長手方向（矢印Ｙ１−Ｙ２方向）の下方側の側面（矢印Ｙ１側）が、ラッチ部６の一方向からの進入（図示では下から）及び退却が可能に開口している。また、対峙する矢印Ｙ２側の側面は、ラッチ部６の移動を規制するべく側壁４１ａが設けられている。因みに、側壁４１ａとラッチ部６の上面（矢印Ｙ２側）との間には、当該ラッチ部６をケーシング部４の前記開口する矢印Ｙ１側の端部から前方へ延出する位置へ付勢するラッチ部付勢手段４５が設けられている（例えば図６（Ａ）参照）。ラッチ部付勢手段４５とは、金属製のスプリング材である。図示例では２本のラッチ部付勢手段４５が設けられているが、その本数は適宜変更される。
【００２４】
更に、ラッチ収納部４１の上面部４１ｄ（矢印Ｚ２側）の略中央位置には、ピン孔４１ｅが設けられている。このピン孔４１ｅへ金属製のピン５を差し入れて、当該ピン５が中空部内の厚み方向（矢印Ｚ２−Ｚ１方向）に突出するようにかしめている。このピン５は、後述するピン係止部７の通路を通過する部材である。したがって、ピン孔４１ｅは、前記ピン５がピン係止部７の通路の始端に位置するように配置されている（例えば図６（Ａ）参照）。
【００２５】
蓋部４３は、ラッチ収納部４１の下面側（矢印Ｚ１側）に形成された開口面を塞ぐプレートであり、その寸法はラッチ収納部４１と略同じになるように形成されている。また、蓋部４３の左右（矢印Ｘ１側と矢印Ｙ２側）両端部には、ラッチ収納部４１のボルト孔４２ａと一致する形状と位置にボルト孔４４ａ、貫通孔４２ｂと一致する形状と位置にバーリング孔４４ｂが設けられている。ラッチ収納部４１の貫通孔４２ｂと、蓋部４３のバーリング孔４４ｂとを一致させ、バーリング孔４２ｂをかしめることにより両者を接合できる。また、ボルト孔４２ａとボルト孔４４ａは、照明カバーＣへボルト接合する際に使用されても良い。
【００２６】
（ラッチ部）
次に、ラッチ部６を図３、図４に基づいて説明する。図４は器具取付装置１からラッチ部６を取り出した拡大斜視図である。
ラッチ部６は、前記したラッチ収納部４１より小形とされており、ピン係止部７が配置される部材である。ラッチ部６は、ピン係止部７が載置される矩形状のベース部６１と、ベース部６１の左右（矢印Ｘ１側と矢印Ｘ２側）の両端部と連結された側壁部６２と、ベース部６１の上端（矢印Ｙ２側）と連結された側壁部６３とを有している。因みに、側壁部６３と対峙する矢印Ｙ１側の端部は開口しており、前記した取付部２の進入及び退却を許容する。因みにベース部６１の矢印Ｙ１側の端部には矢印Ｚ１方向へ水平に延びる抑えプレート６１ａが連結されている。
【００２７】
前記したベース部６１には、ピン係止部７の下端面（矢印Ｙ１側）に接触して、当該ピン係止部７の位置決めを行う位置決め部材６４が、中央位置に設けられた開口部６０の直上位置に設けられている。位置決め部材６４は、ラッチ部６の内方へ突出する段部であり、ベース部６１の左右方向（矢印Ｘ１―Ｘ２方向）に延びている。因みに図示したベース部６１には、開口部６０が形成されているが、必ずしも開口部６０を有さなくても良い。本実施形態のベース部６１は上記したように金属製であるため、位置決め部材６４の形成を切り出し加工と折り曲げ加工により行うと、開口部６０は加工の段階で自然に形成されるものだからである。
【００２８】
したがって、上記構成のベース部６１に配置されるピン係止部７は、ピン係止部７の矢印Ｙ２側の側面は側壁部６３に位置決めされ、ピン係止部７の矢印Ｙ１側の側面は、位置決め部材６４により位置決めされる。上記構成により位置決めされたピン係止部７は、ラッチ部６の矢印Ｘ１―Ｘ２方向（ラッチ部６の挿入方向に対して直交する方向）にのみ移動が許容される。また、位置決めされたピン係止部７の左右（矢印Ｘ１側とＸ２側）端部と、各側壁部６２との間には、ピン係止部７をベース部６１の中央位置に付勢する金属製の係止部付勢手段６５（スプリング材）がそれぞれ設けられている。上記の構成により、後述するがピン係止部７の通路にピン５が通過する際に、ピン係止部７が左右方向（矢印Ｘ１―Ｘ２方向）に移動して、ピン５の係止と係止解除が可能となる。
【００２９】
前記した側壁部６２は、その下端（矢印Ｙ１側）部に左右方向（矢印Ｘ１−Ｘ２方向）に水平に伸びる抑えプレート６２ａが連結されている。この抑えプレート６２ａの水平高さ位置は、前述したベース部６１の抑えプレート６１ａと同じにされており、両者は取付部２が本体部３内へ挿入された際に、ラッチ部６のケーシング部４内（本体部３）への進入を規制する機能を果たす。
【００３０】
（ピン係止部）
次に、ピン係止部７について図４、図５に基づいて説明する。図５は、ピン係止部７の平面図である。
ピン係止部７は上述の通りラッチ部６内に配置され、当該ラッチ部６の挿入方向（矢印Ｙ１−Ｙ２方向）への移動に応じて、当該挿入方向に対して直交する方向（矢印Ｘ１−Ｘ２方向）に移動してピン５を係止又は係止解除が可能な構成とされている。ラッチ部６の挿入方向への移動に応じた係止動作又は係止解除動作については後述する。
【００３１】
ピン係止部７は、図５に示すようにピン５が進行（通過）するピン通路７０（特許請求の範囲の通路の一例に相当）が形成されている。
このピン通路７０は、ピン進入部７１、進入通路７２、止め通路７３、及び戻り通路７４を有している。
【００３２】
また、ピン通路７０を構成するピン進入部７１、進入通路７２、止め通路７３、及び戻り通路７４は、全体の平面視が略ハート型の形状に形成されている。上記のようにピン通路７０を略ハート型形状にしたことにより、ピン係止部７の大きさをコンパクトにできる利点がある。また、ピン通路７０の内側部分は、ピン通路７０に対して突出した突出部７５が形成されている。なお、ピン５がピン通路７０の内部を進行する際に逆走することは、ピン係止部７のＸ１側とＸ２側とに設けた前記係止部付勢手段６５の付勢力により当該ピン係止部７が常にＸ１−Ｘ２方向の中央部に戻ろうと作用することで防止される。また、ピン通路７０は、フラットな床面とされて、ピン５がスムーズに当該通路内を移動可能な構成とされている。
【００３３】
進入通路７２は、ピン５が進入脱されるピン進入部７１と、ピン５を係止してピン５の移動を規制する止め通路７３との間に形成されている。ラッチ部６の１回目の挿入方向への動作（器具の取付動作を意味する）が行われる際、ピン５はこの進入通路７２の内部を止め通路７３に向けて（矢印Ｙ１方向）移動する。
【００３４】
進入通路７２の先端位置（矢印Ｙ１側）にはピン５の進入を受け止めて止め通路７３へ誘導する受け部７２ａが設けられている。この受け部７２ａは、ピン５の外周面を受け止め可能な半円弧形状に形成されていることが好ましい。半円弧形状とは、完全な半円弧状に限らず、これとほぼ同一で、ピン５の外周面を受け止め可能な略半円弧状を含む。また、Ｖ字型形状などの屈曲形状であっても良い。
【００３５】
止め通路７３は、進入通路７２と戻り通路７４との間に形成されている。ラッチ部６の１回目の挿入方向への動作により進入通路７２を通過してきたピン５は、この止め通路７３へ矢印Ｙ２方向に向けて移動することでピン５の移動が係止される。
【００３６】
止め通路７３は、進入通路７２に対して折り返す（矢印Ｙ２方向）ように形成されており、この止め通路７３の先端位置（矢印Ｙ２側）には、ピン５の進入を受け止めて停止させる半円弧形状の受け部７３ａが設けられている。また、この止め通路７３の先端位置の底部にはピン５を係合可能な係合手段が設けられていることが好ましい。この係合手段はピン５を係合可能な径と形状に形成された窪み部であり、止め通路７３を移動してきたピン５が受け部７３ａに当たって揺動した後、窪み部に係合されることでピン５の移動を完全に係止できる。勿論、係合手段を設けずとも、ピン５が止め通路７３に進入した際に、ラッチ部６にはラッチ部付勢手段４５により矢印Ｙ１方向への付勢力が作用しているためピン５の係止は受け部７３ａにより確実になされる構成である。この点は後述する。
【００３７】
因みに、止め通路７３と繋がる戻り通路７４は、止め通路７３に対して更に折り返す（矢印Ｙ１方向）ように形成されている。したがって、ラッチ部６の１回目の挿入方向への動作で、ピン５が止め通路７３を通過して戻り通路７４へ行ってしまうことはない。
【００３８】
上記の戻り通路７４は、止め通路７３とピン進入部７１との間に形成されている。ラッチ部６の２回目の挿入方向への動作（器具の取外し動作を意味する）が行われると、ピン５はこの戻り通路７４の内部をピン進入部７１に向けて移動する。具体的に戻り通路７４は、先ず止め通路７３と繋がる進入箇所は矢印Ｙ１方向に向かって形成されており、続く残りの通路は矢印Ｙ２方向へ折り返すように形成されている。折り返し箇所には半円弧形状の受け部７４ａが設けられており、ピン５が当該受け部７４ａに当たると自然に矢印Ｙ２方向へ誘導されてピン進入部７１へ移動してゆくのである。以下、戻り通路７４の進入箇所を進入部７４Ｓと表記し、残りの通路を退却部７４Ｔと表記する。
【００３９】
本実施形態に係る器具取付装置１は、ピン係止部７にピン挿入ガイド部７６を設けている。ピン挿入ガイド部７６は、ピン係止部７のピン進入部７１と対向する側（矢印Ｙ２側）に形成されている。このピン挿入ガイド部７６は、一対のガイド面７６ａ、７６ｂにより構成されている。また、この一対のガイド面７６ａ、７６ｂの間の部分は、ピン進入部７１を構成する。
【００４０】
ピン挿入ガイド部７６は、ピン進入部７１に進行したピン５をピン通路７０のピン通路端部Ｐにガイドする機能を奏するものである。
【００４１】
ピン挿入ガイド部７６を構成する各ガイド面７６ａ、７６ｂは、ピン進入部７１に対して起立した壁面により構成されている（図４参照）。したがって、ピン５がピン係止部７内に進行し、ガイド面７６ａ又はガイド面７６ｂに接触すると、ピン５はガイド面７６ａ又はガイド面７６ｂにガイドされながらピン通路端部Ｐに向け進行できる。
【００４２】
上記のようにピン５の係止又は係止解除をならしめるピン係止部７は、ラッチ部６内においてラッチ部６の左右方向（矢印Ｘ１−Ｘ２方向）に微小に移動する構成であるので、器具取付装置１の大きさ特に長手方向（矢印Ｙ１−Ｙ２方向）の長さを従来に比にして短くすることができる。また、ピン係止部７は通路がハート型形状とされている故に小型に形成でき、器具取付装置１の短手方向（矢印Ｘ１−Ｘ２方向）の長さを従来に比して短くすることができる。したがって、本実施形態の器具取付装置１は、従来に比して相当に小型にすることができ、取付箇所が制限されるスペースの厳しい場所においても積極的に使用できる。
【００４３】
（係合部）
次に係合部８について図２、図３に基づいて説明する。この係合部８は前記した取付部２と係合することで、器具の取付け及び取外しを実現する機能を発揮する。本実施形態の係合部８は、ラッチ部６内に収納されるため、その大きさはラッチ部６より小径に形成されている
係合部８は、金属製の接合ピン８０を挿入する貫通部が設けられた略円弧形状の回動部８１と、当該回動部８１に連結されたアーム部８２とを有している。
【００４４】
アーム部８２の先端箇所には、Ｖ字形状に湾曲して前記した取付部２の掛け部２２ａと掛け合わせが可能な掛け受け部８２ａが形成されている。この形状は、勿論図示例の形状の限りではなく、取付部２との関係により適宜変更される。また、係合部８の掛け受け部８２ａと取付部２の掛け部２２ａとは、それぞれ湾曲箇所の外面同士（突出箇所）が対峙する配置として掛け止め可能に設置されている（図８参照）。
【００４５】
この係合部８は、ラッチ部６内の略中央位置に回動可能（矢印Ｚ１−Ｚ２方向）に設置される構成とされている。即ち、係合部８をラッチ部６内の挿入方向（矢印Ｙ１−Ｙ２方向）の略中央位置に、当該挿入方向に直交する方向となるように配置する。そして、当該ラッチ部６の左右（矢印Ｘ１側と矢印Ｘ２側）に位置する両側壁６２に設けられたピン孔６２ｂと、回動部８１の貫通部とを一致させ、ピン孔６２ｂと貫通部へ接合ピン８０を差し入れて貫通させることで回動可能に設置できる。
【００４６】
上記構成の係合部８は、取付部２が本体部３へ挿入（押圧）されると、ピン係止部７の係止動作又は係止解除動作に応じて、取付部２の掛け部２２ａとの掛け止め動作又は掛け外し動作をならしめる。これらの動作については後に詳しく説明する。
【００４７】
＜動作＞
次に、上記構成とされた器具取付装置１の動作について、図５及び図６（Ａ）〜図６（Ｄ）に基づいて説明する。特にラッチ部６とピン係止部７、及び係合部８と取付部２の動作を中心に説明する。
【００４８】
図６（Ａ）〜図６（Ｄ）は、器具取付装置１の動作を説明するための図である。なお、同図では図示及び説明の便宜上、ケーシング部４のラッチ収納部４１は、透過させピン５のみを実線で図示している。以下、照明本体Ｓの取付動作と取外し動作とを別々に説明する。
【００４９】
（取付動作）
先ず、照明カバーＣに照明本体Ｓを取付ける動作を説明する。特に照明本体Ｓに取付けられた取付部２を、照明カバーＣに取付けられた本体部３内へ挿入すると連動して生じる、ラッチ部６とピン係止部７の動作について説明する。
【００５０】
因みに、上記した器具同士を取付けるための挿入方向への動作を、特許請求の範囲及び明細書内では「ラッチ部の１回目の挿入方向への動作」と記載する。これは、厳密に云うと照明本体Ｓを取付けるべく取付部２を、本体部３へ挿入方向（矢印Ｙ１−Ｙ２方向）へ押圧する動作を指す。この動作によりラッチ部６が挿入方向に押上げられ、このラッチ部６の押上げ移動により、ピン５の係止と、係合部８と取付部２との係合が連動して動作し器具の取付けが行える。
【００５１】
したがって、以下、ラッチ部６の移動を主体に各部材の連動動作を説明する関係上、取付部２による本体部３への挿入方向への押圧動作を「ラッチ部の１回目の挿入方向への動作」と概略記載して説明する。
【００５２】
図６（Ａ）は、ラッチ部６の１回目の挿入方向への動作前の、ピン５がピン係止部７のピン進入部７１に位置している状態（以下、この状態をフリー状態という）を示している。因みに挿入方向とは矢印Ｙ１−Ｙ２方向を指す。フリー状態は、まだピン５がピン通路７０に進行していない状態である。このフリー状態では、係止部付勢手段６５（スプリング材）は均衡した状態となっており、よってピン係止部７はラッチ部６内の中央に位置した状態となっている。
【００５３】
図６（Ｂ）に示すように、ラッチ部６の１回目の挿入方向（矢印Ｙ２方向）の動作（器具取付動作）が行われると、ラッチ部６とラッチ収納部４１の側壁４１ａとの間に介在されたラッチ部付勢手段４５が収縮して、ラッチ部６がケーシング部４内へ挿入（収納）される。ピン係止部７において、ピン５はピン通路７０を構成する進入通路７２に沿って矢印Ｙ１方向に移動する。具体的にはピン５は、ピン通路７０であって突出部７５のＸ１側の外周面に沿って移動している（図５参照）。図６（Ｂ）は、ピン５が進入通路７２の受け部７２ａまで進行した状態を示している。
【００５４】
この際、前記のようにピン進入部７１の両端にはピン挿入ガイド部７６が形成されているため、ラッチ部６の１回目の進入方向の動作時にピン５が戻り通路７４へ進行することなく、進入通路７２へ進行する。ピン５は進入通路７２内を進行することにより、ピン係止部７は図中矢印Ｘ２方向に移動を行う。このため矢印Ｘ２側の係止部付勢手段６５が収縮され、よってピン係止部７には当該係止部付勢手段６５（矢印Ｘ２側）により矢印Ｘ１方向へ移動付勢する弾性力が作用している。
【００５５】
図６（Ｃ）は、ピン５が止め通路７３内の受け部７３ａまで進行した状態を示している（図５参照）。即ち、ピン５が進入通路７２の受け部７２ａに当たった後、作業者が前記挿入方向への押圧を止めると、ピン５は進入方向と逆方向（矢印Ｙ２方向）に折り返された止め通路７３へ誘導される。これは、ラッチ部付勢手段４５の矢印Ｙ１方向への付勢力と係止部付勢手段６５（矢印Ｘ２側）の矢印Ｘ１方向への付勢力が作用し、ピン係止部７がラッチ部６の矢印Ｘ１−Ｘ２方向の中央部に戻ろうとするからである。そして、ピン５は、止め通路７３の受け部７３ａに当たって止まる（係止される）。このとき、ピン係止部７は、ラッチ部６の矢印Ｘ１−Ｘ２方向の中央部ではなく、中央位置より若干矢印Ｘ２側寄りに位置している。したがって、ピン係止部７には、矢印Ｘ２側の係止部付勢手段６５により矢印Ｘ１側への付勢力が作用しており、ラッチ部６には上記したラッチ部付勢手段４５により矢印Ｙ１方向への付勢力（弾性力）が作用しているため、ピン５は受け部７３ａで必ず係止される。
【００５６】
次に、図６（Ａ）〜図６（Ｃ）で説明したピン係止部７の前記動作に応じて連動する、係合部８と取付部２との係合動作を図７（Ａ）〜図７（Ｃ）から説明する。
【００５７】
先ず図６（Ａ）から図６（Ｂ）に示すように、作業者の器具取付動作（１回目）により、取付部２が本体部３内へ挿入される際の係合部８と取付部２の動作を説明する。図７（Ａ）のフリー状態から、図７（Ｂ）に示すように取付部２の掛け部２２ａを本体部３へ挿入すると、係合部８は、回動部８１によって本体部３の厚さ方向（矢印Ｚ１−Ｚ２方向）にアーム部８２を回動移動させて、取付部２のアーム部２２（掛け部２２ａ）の進入を許容する。これは、フリー状態のとき係合部８のアーム部８２が、ラッチ部付勢手段４５によりケーシング部４（本体部３）の矢印Ｙ１側の開口端部から回動可能に突出する位置に配置されているからである。そして、挿入を許容された取付部２を本体部３内（ケーシング部４とも云う）へ押圧すると、取付部２の掛け部２２ａが係合部８の回動部８１に当たりラッチ部６を矢印Ｙ２方向へ押し上げる。このとき、ピン５は進入通路７２に進入し受け部７２ａへ当たっている。
【００５８】
次に、取付部２の挿入方向への押圧を止めると、図６（Ｃ）に示すように、ピン５が止め通路７３へ進入し受け部７３ａに当たって係止される。すると、図７（Ｃ）に示すように取付部２の掛け部２２ａは、矢印Ｙ１方向（抜去方向）へ移動し、係合部８の掛け受け部８２ａの位置まで下がることで、取付部２の掛け部２２ａと係合部８の掛け受け部８２ａとが互いに掛け止め合う（ロック状態）。このとき、係合部８のアーム部８２の位置は矢印Ｙ２側へ押し上げられてケーシング部４内に略収納されているので、回動部８１によるアーム部８２の回動がケーシング部４（ラッチ収納部４１）の内周面に規制されている。したがって、回動を規制された係合部８の掛け受け部８２ａは逃げ場が無くなり、降下してきた取付部２の掛け部２２ａと掛り合うのである。
これは、取付部２と本体部３とが連結（係止）されたことを意味し、もっては照明カバーＣに照明本体Ｓが取付けられたことを意味する。これにより、器具取付装置１による一連の取付動作（係合動作）が終了する。
【００５９】
（取外し動作）
次に、作業者が照明本体Ｓを照明カバーＣから取外す動作を説明する。特に照明本体Ｓに取付けられた取付部２を、照明カバーＣに取付けられた本体部３内へ更に挿入方向へ押圧すると連動して生じる、ラッチ部６とピン係止部７の動作について説明する。
【００６０】
因みに、上記した器具同士を取外すための挿入方向への動作（取付部２を本体部３内へ更に挿入する押圧動作）を、特許請求の範囲及び明細書内では「ラッチ部の２回目の挿入方向への動作」と表現する。
【００６１】
照明本体Ｓを照明カバーＣから取外すべく、ラッチ部６の２回目の挿入方向への押圧動作が行われると、ラッチ部６とラッチ収納部４１の側壁４１ａとの間に介在されたラッチ部付勢手段４５が収縮してラッチ部６が押し上げられる。すると、ピン５が止め通路７３から戻り通路７４の進入部７４Ｓへ進入する。
【００６２】
この点を具体的に説明する。上記したようにピン５が止め通路７３の受け部７３ａに位置している時（係止時）、ピン係止部７はラッチ部６の中央位置より若干矢印Ｘ２側寄りに位置して、矢印Ｘ２側の係止部付勢手段６５から矢印Ｘ１側への付勢力を受けている。上記の状態から取外し動作によりラッチ部６が押し上げられて、ピン５が矢印Ｙ１方向へ移動する際、ピン係止部７は矢印Ｘ２側の係止部付勢手段６５の矢印Ｘ１側への付勢力により、矢印Ｘ１側へ移動し中央位置へ戻ろうとする。したがって、ピン５が止め通路７３側へ進入することなく、確実に戻り通路７４の進入部７４Ｓへ進入してゆくことができる。
【００６３】
そして、ピン５は戻り通路７４の受け部７４ａに当たり、作業者が挿入方向への押圧を止めると、図６（Ｄ）に示すように、ピン５は自然に矢印Ｙ２方向へ向かう戻り通路７４の退却部７４Ｔへ進入、進行しピン進入部７１へ移動する（図５参照）。これによりピン５はピン係止部７を離脱する。ピン５が突出部７５の矢印Ｘ２側の外周面に沿って退却部７４Ｔ内を進行しピン進入部７１へ戻る際、ピン係止部７は一旦矢印Ｘ１方向に移動した後、矢印Ｘ１側の係止部付勢手段６５の付勢力により矢印Ｘ２方向へ移動し中央部に戻る。
【００６４】
図６（Ｄ）で説明したピン係止部７の前記動作に応じて連動する、係合部８と取付部２との係合解除動作を図７（Ｃ）〜図７（Ａ）から説明する。基本的には、取付動作で説明した動作順の逆となる。
【００６５】
作業者の器具取外し動作により、取付部２を更に本体部３内へ挿入すると、取付部２の掛け部２２ａは、図７（Ｃ）のロック状態から、係合部８の回動部８１に当たりラッチ部６を矢印Ｙ２方向へ押し上げる。すると、ピン５は止め通路７３を出て戻り通路７４へ移動する。ピン５が戻り通路７４の進入部７４Ｓへ進入し受け部７４ａに当たったとき、取付部２の掛け部２２ａは係合部８の回動部８１を押し付けている状態にある。そして、挿入方向への押圧を止めると、ピン５は戻り通路７４の退却部７４Ｔを通過しピン進入部７１へ移動する。すると、取付部２の掛け部２２ａは、図７（Ｂ）に示すように矢印Ｙ２方向（抜去方向）へ移動する。このとき取付部２の掛け部２２ａは、係合部８の掛け受け部８２ａと接触するが、前記したピン５の係止解除によりラッチ部６がフリー状態の位置に戻り（降下し）アーム部８２がケーシング部４の外へ回動可能に露出している。そのため、アーム部８２は回動部８１により厚さ方向に移動でき、取付部２の矢印Ｙ１方向への移動を許容できる。そして図７（Ａ）に示すように、取付部２は本体部３の外へ抜去される。
これは、取付部２と本体部３との係止状態が解除されたことを意味し、もっては照明カバーＣから照明本体Ｓが取外されたことを意味する。これにより、器具取付装置１による一連の取外し動作（係合解除動作）が終了する。
【００６６】
上記のように本実施形態に係る器具取付装置１は、当該器具取付装置１を構成する全ての部材を金属製とした。したがって、耐熱性と耐荷重性を確実に確保することができる。すると、高い熱を発する器具や、重量のある器具においても積極的に使用でき汎用性が高い。また、経年劣化な腐食の問題が少ないため安全性と耐久性を確実に期待できる。
【００６７】
また、本実施形態に係る器具取付装置１は、器具の取付け及び取外しを可能にするピン５の係止又は係止解除を、ラッチ部６の左右方向（挿入方向と直交する方向）へ微小に移動するピン係止部７により行う構成とした。また、このピン係止部７はピン５が通過する通路をハート型にすることで小型に形成することができている。
したがって、器具取付装置１の縦横の大きさを従来に比して小さくすることができる。斯すると、器具取付箇所を設置するスペースが厳しいタイプの機器同士であっても使用することができ、汎用性がすこぶる高くなる。
【００６８】
（変形例）
以上、本発明の器具取付装置１は、照明本体と照明カバーとの取付けに実施される形態を例に取り説明したが、この限りではなく、取付け及び取外しが必要な器具同士においても同様に適用できる。また、器具取付装置１を重力方向（矢印Ｙ１−Ｙ２方向方向）に配置する例を示したがこの限りではなく、水平方向（矢印Ｘ１−Ｘ２方向）に配置して実施することも可能である。
【００６９】
以上、本発明の好ましい実施形態について詳述したが、本発明は上記した特定の実施形態に限定されるものではなく、特許請求の範囲に記載された本発明の要旨の範囲内において、種々の変形・変更が可能なものである。
【符号の説明】
【００７０】
１          器具取付装置
２          取付部
２１        プレート
２２        アーム部
２２ａ      掛け部
３          本体部
４          ケーシング部
４１        ラッチ収納部
４１ａ、４１ｂ    側壁
４１ｃ      フランジ部
４１ｅ      ピン孔
４３        蓋部
４５        ラッチ部付勢手段
５          ピン
６          ラッチ部
６０        開口部
６１        ベース部
６１ａ      抑えプレート
６２、６３  側壁部
６２ａ      抑えプレート
６２ｂ      ピン孔
６４        位置決め部材
６５        係止部付勢手段
７          ピン係止部
７０        ピン通路
７１        ピン進入部
７２        進入通路
７３        止め通路
７４        戻り通路
７５        突出部
７６        ピン挿入ガイド部
８          係合部
８０        接合ピン
８１        回動部
８２        アーム部
８２ａ      掛け受け部
Ｓ          照明本体
Ｃ          照明カバー
【要約】
【課題】本発明は、装置全体の大きさを小型化でき、且つ耐熱性と耐荷重性を確保可能な器具取付装置を提供する。
【解決手段】一方の器具に取付けられた取付部と、他方の器具に取付けられ取付部を着脱可能に係合する本体部とを備える器具取付装置であって、本体部は、一側側面部が開口する中空部に形成され且つ中空部内の厚み方向へ突出するピンが設けられたケーシング部と、ケーシング部の中空部内に配置され、中空部内への挿入及び抜去方向への移動が可能なラッチ部と、ラッチ部内に配置され、ラッチ部内への挿入方向及び抜去方向への移動に応じて、挿入方向に対して直交する方向に移動してピンの係止又は係止解除が可能なピン係止部と、ピン係止部によるピンの係止又は係止解除に応じて、取付部を着脱可能に取付ける係合部とを有しており、器具取付装置の前記各部は、金属製である。
【選択図】図２【図１】
0005885806.tif 000002
【図２】
0005885806.tif 000003
【図３】
0005885806.tif 000004
【図４】
0005885806.tif 000005
【図５】
0005885806.tif 000006
【図６】
0005885806.tif 000007
【図７】
0005885806.tif 000008